(57)【要約】      （修正有）【課題】電気製品に設けられる、音声の信号を伝送するための音声信号ソケット。【解決手段】挿入孔を有する絶縁ケースを有し、ケースの内部の一側に挿入孔と対応する第１弾力端子と第１固定端子が設けられ、第１弾力端子の一端がケースの内部に固定され、他端に第１固定端子と接触すると共に、挿入孔へ延伸される湾曲部が設けられ、ケースの内部の他側に挿入孔と対応する第２固定端子が設けられ、第２固定端子の両側に夫々第２弾力端子と第３弾力端子が設けられ、第２弾力端子の自由端が挿入孔へ延伸され、第３弾力端子の自由端が第２固定端子と接触する音声信号ソケットであって、前記ケースの内部に第２弾力端子の自由端と対応する平行の位置決めプレートが設けられ、位置決めプレート同士の間に摺動部が形成されると共に、摺動部に第３弾力端子の自由端と対応する摺動可能な案内部が設けられ、案内部の一端が挿入孔へ延伸されることを特徴とする。【選択図】図２
0003113255.tif 000002
【実用新案登録請求の範囲】
【請求項１】
挿入孔を有する絶縁ケースを有し、該ケースの内部の一側に挿入孔と対応する第１弾力端子と第１固定端子が設けられ、該第１弾力端子の一端がケースの内部に固定され、他端に第１固定端子と接触すると共に、挿入孔へ延伸される湾曲部が設けられ、ケースの内部の他側に挿入孔と対応する第２固定端子が設けられ、該第２固定端子の両側に夫々第２弾力端子と第３弾力端子が設けられ、該第２弾力端子の自由端が挿入孔へ延伸され、第３弾力端子の自由端が第２固定端子と接触する音声信号ソケットであって、
前記ケースの内部に第２弾力端子の自由端と対応する平行の位置決めプレートが設けられ、該位置決めプレート同士の間に摺動部が形成されると共に、摺動部に第３弾力端子の自由端と対応する摺動可能な案内部が設けられ、該案内部の一端が挿入孔へ延伸されることを特徴とする音声信号ソケット。
【請求項２】
前記挿入孔へ延伸される案内部の一端が円弧状であることを特徴とする請求項１に記載の音声信号ソケット。
【請求項３】
前記一つの位置決めプレートにストッパーが設けられ、前記案内部の他端にストッパーと対応する凸部が設けられることを特徴とする請求項１又は２に記載の音声信号ソケット。
【考案の詳細な説明】
【技術分野】
【０００１】
本考案は、特に電気製品に設けられる、音声信号を伝送するための音声信号ソケットに関するものである。
【背景技術】
【０００２】
一般に、ステレオ、テレビなど音声を放送できる電気製品にスピーカー又はイアホンを設置するための音声信号ソケットが設けられる。図４に示すように、従来の音声信号ソケットは、絶縁のケース（３０）を有し、該ケース（３０）にスピーカー又はイアホンのコネクタ（４０）を挿入するため挿入孔（３１）が形成され、内部の一側に該挿入孔（３１）と対応する第１固定端子（３２）と第１弾力端子（３３）が設けられ、該第１弾力端子（３３）に湾曲部（３３１）が設けられ、内部の他側に挿入孔（３１）と対応する第２固定端子（３４）が設けられ、該第２固定端子（３４）の両側に夫々第２弾力端子（３５）と第３弾力端子（３６）が設けられ、該第３弾力端子（３６）の一端に絶縁ブロック（３６１）が設けられる。
【０００３】
そして、前記コネクタ（４０）がケース（３０）の挿入孔（３１）に挿入されない時は、第１弾力端子（３３）の湾曲部（３３１）が挿入孔（３１）へ延伸されると共に、第２弾力端子（３５）の自由端も挿入孔（３１）へ延伸され、又、第１弾力端子（３３）と第１固定端子（３２）が相互に接触されると共に、第３弾力端子（３６）と第２固定端子（３４）が相互に接触される。
【０００４】
一方、前記コネクタ（４０）がケース（３０）の挿入孔（３１）に挿入される時は、該コネクタ（４０）が第１弾力端子（３３）の湾曲部（３３１）と第２弾力端子（３５）を押圧することにより、第１弾力端子（３３）が第１固定端子（３２）を分離し、第２弾力端子（３５）の自由端が絶縁ブロック（３６１）を押圧することにより、第３弾力端子（３６）が第２固定端子（３４）と分離する。
【考案の開示】
【考案が解決しようとする課題】
【０００５】
しかしながら、前記コネクタ（４０）が従来の音声信号ソケットの挿入孔（３１）に挿入される際、使用者から挿入孔（３１）の内部の状態が見えないことから、コネクタ（４０）の挿入角度を偏移すると共に、第２弾力端子（３５）が異常に折れてしまうことにより、音声信号ソケットを損壊し易いという問題があった。
【０００６】
そこで、案出されたのが本考案であって、電気製品に設けられる、音声信号を伝送するための音声信号ソケットを提供することを目的としている。
【課題を解決するための手段】
【０００７】
本願の請求項１の考案は、挿入孔を有する絶縁ケースを有し、該ケースの内部の一側に挿入孔と対応する第１弾力端子と第１固定端子が設けられ、該第１弾力端子の一端がケースの内部に固定され、他端に第１固定端子と接触すると共に、挿入孔へ延伸される湾曲部が設けられ、ケースの内部の他側に挿入孔と対応する第２固定端子が設けられ、該第２固定端子の両側に夫々第２弾力端子と第３弾力端子が設けられ、該第２弾力端子の自由端が挿入孔へ延伸され、第３弾力端子の自由端が第２固定端子と接触する音声信号ソケットであって、
前記ケースの内部に第２弾力端子の自由端と対応する平行の位置決めプレートが設けられ、該位置決めプレート同士の間に摺動部が形成されると共に、摺動部に第３弾力端子の自由端と対応する摺動可能な案内部が設けられ、該案内部の一端が挿入孔へ延伸されることを特徴とする音声信号ソケット、を提供する。
【０００８】
本願の請求項２の考案は、前記挿入孔へ延伸される案内部の一端が円弧状であることを特徴とする請求項１に記載の音声信号ソケット、を提供する。
【０００９】
本願の請求項３の考案は、前記一つの位置決めプレートにストッパーが設けられ、前記案内部の他端にストッパーと対応する凸部が設けられることを特徴とする請求項１又は２に記載の音声信号ソケット、を提供する。
【考案の効果】
【００１０】
本考案は上記の課題を解決するものであり、ケースの内部に挿入孔と対応する案内部が設けられることにより、コネクタが挿入孔に挿入する際、先に案内部と接触するから、挿入角度を偏移しても、該案内部によって正確の挿入角度に修正することができるので、第２弾力端子を損壊することを防止できる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る音声信号ソケットの斜視図であり、図２は本考案に係る音声信号ソケットの断面図であり、図３は本考案に係る音声信号ソケットにコネクタを挿入する状態を示す断面図である。
【００１３】
図１及び図２に示すように、本考案に係る音声信号ソケットは、挿入孔（１１）を有する絶縁ケース（１０）を有し、該ケース（１０）の内部の一側に挿入孔（１１）と対応する第１弾力端子（１２）と第１固定端子（１３）が設けられ、該第１弾力端子（１２）の一端がケース（１０）の内部に固定され、他端に第１固定端子（１３）と接触すると共に、挿入孔（１１）へ延伸される湾曲部（１２１）が設けられ、ケース（１０）の内部の他側に挿入孔（１１）と対応する第２固定端子（１４）が設けられ、該第２固定端子（１４）の両側に夫々第２弾力端子（１５）と第３弾力端子（１６）が設けられ、該第２弾力端子（１５）の自由端（１５１）が挿入孔（１１）へ延伸され、第３弾力端子（１６）の自由端（１６１）が第２固定端子（１４）と接触し、又、ケース（１０）の内部に第２弾力端子（１５）の自由端（１５１）と対応する平行の位置決めプレート（１７）（１７１）が設けられ、位置決めプレート（１７）にストッパー（１７２）が設けられ、該位置決めプレート（１７）（１７１）の間に摺動部が形成されると共に、摺動部に第３弾力端子（１６）の自由端（１６１）と対応する摺動可能な案内部（１８）が設けられ、該案内部（１８）の一端が挿入孔（１１）へ延伸される円弧状であり、他端にストッパー（１７２）と対応する凸部（１８１）が設けられることにより、案内部（１８）が摺動部から脱出することを防ぐ。
【００１４】
図３に示すように、スピカー又はイアホーンのコネクタ（２０）が挿入孔（１１）に挿入する際、該コネクタ（２０）が案内部（１８）を押圧し、該案内部（１８）が第３弾力端子（１６）の自由端（１６１）を押圧することにより、第３弾力端子（１６）の自由端（１６１）が第２固定端子（１５）と分離し、一方、該コネクタ（２０）が第１弾力端子（１２）の湾曲部（１２１）を押圧し、第１弾力端子（１２）が第１固定端子（１３）と分離することにより、コネクタ（２０）が夫々第１弾力端子（１２）の湾曲部（１２１）と第２弾力端子（１５）の自由端（１５１）と接触する。
【００１５】
前記コネクタ（２０）が挿入孔（１１）に挿入する時、先に案内部（１８）と接触するから、挿入角度を偏移しても、該案内部（１８）によって正確の挿入角度に修正することができるので、第２弾力端子（１５）を損壊することを防止できる。
【産業上の利用可能性】
【００１６】
本考案は上記の構成を有し、ケースの内部に挿入孔と対応する案内部が設けられることにより、コネクタが挿入孔に挿入する際、先に案内部と接触するから、挿入角度を偏移しても、該案内部によって正確の挿入角度に修正することができるので、第２弾力端子を損壊することを防止できる。
【図面の簡単な説明】
【００１７】
【図１】本考案に係る音声信号ソケットの斜視図である。
【図２】本考案に係る音声信号ソケットの断面図である。
【図３】本考案に係る音声信号ソケットにコネクタを挿入する状態を示す断面図である。
【図４】従来の音声信号ソケットにコネクタを挿入する状態を示す断面図である。
【符号の説明】
【００１８】
１０        ケース
１１        挿入孔
１２        第１弾力端子
１２１      湾曲部
１３        第１固定端子
１４        第２固定端子
１５        第２弾力端子
１５１      自由端
１６        第３弾力端子
１６１      自由端
１７        位置決めプレート
１７１      位置決めプレート
１７２      ストッパー
１８        案内部
１８１      凸部
２０        コネクタ
３０        ケース
３１        挿入孔
３２        第１固定端子
３３        第１弾力端子
３３１      湾曲部
３４        第２固定端子
３５        第２弾力端子
３６        第３弾力端子
３６１      絶縁ブロック
４０        コネクタ
【図１】
0003113255.tif 000003
【図２】
0003113255.tif 000004
【図３】
0003113255.tif 000005
【図４】
0003113255.tif 000006